【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
少なくとも、文書、画像を含む各種のファイルデータの一部を差し替えながら印刷するバリアブル印刷に関する指示情報が記録されたバリアブル印刷ジョブファイルを生成するバリアブル印刷ジョブファイル生成手段と、
前記バリアブル印刷を実行する際に、少なくとも、文書、画像を含む各種のファイルデータを格納したデータベースから前記実行するバリアブル印刷で使用する前記ファイルデータを読み込んで、使用リソースファイルとして抽出する抽出手段と、
前記バリアブル印刷ジョブファイル生成手段により生成された前記バリアブル印刷ジョブファイルと前記抽出手段により抽出された前記使用リソースファイルとを関連付けた印刷コントロールファイルを作成する印刷コントロールファイル作成手段と、
前記抽出手段により抽出された前記使用リソースファイルの全てを一覧リストとして作成した使用リソース一覧リストを生成する使用リソース一覧リスト生成手段と、
前記バリアブル印刷の実行に伴って、前記バリアブル印刷ジョブファイル生成手段により生成された前記バリアブル印刷ジョブファイル、前記使用リソース一覧リスト生成手段により生成された前記使用リソース一覧リスト、及び前記印刷コントロールファイル作成手段により作成された前記印刷コントロールファイルに基づいて、前記バリアブル印刷に関する指示情報並びに印刷結果情報を含むバックアップデータをとりまとめたバックアップファイルを生成するバックアップファイル生成手段と、
を有する印刷処理システム。
【請求項２】
前記バックアップファイルを圧縮する圧縮手段をさらに有することを特徴とする請求項１記載の印刷処理システム。
【請求項３】
前記バックアップファイル生成手段は、前記バリアブル印刷に関する指示情報並びに印刷結果情報を暗号鍵によって、データを一定の規則に基づいて符号化するエンコードを行って暗号化してから前記バックアップファイルを生成することを特徴とする請求項１又は請求項２記載の印刷処理システム。
【請求項４】
前記バックアップファイル生成手段は、前記バリアブル印刷に関する指示情報並びに印刷結果情報を電子署名によって、デジタル文書の正当性を保障するためにつけられる署名情報を付加してから前記バックアップファイルを生成することを特徴とする請求項１又は請求項２記載の印刷処理システム。
【請求項５】
少なくとも、文書、画像を含む各種のファイルデータの一部を差し替えながら印刷するバリアブル印刷に関する指示情報が記録されたバリアブル印刷ジョブファイルを生成するバリアブル印刷ジョブファイル生成工程と、
前記バリアブル印刷を実行する際に、少なくとも、文書、画像を含む各種のファイルデータを格納したデータベースから前記実行するバリアブル印刷で使用する前記ファイルデータを読み込んで、使用リソースファイルとして抽出する抽出工程と、
前記バリアブル印刷ジョブファイル生成工程で生成された前記バリアブル印刷ジョブファイルと前記抽出工程で抽出された前記使用リソースファイルとを関連付けた印刷コントロールファイルを作成する印刷コントロールファイル作成工程と、
前記抽出工程で抽出された前記使用リソースファイルの全てを一覧リストとして作成した使用リソース一覧リストを生成する使用リソース一覧リスト生成工程と、
前記バリアブル印刷の実行に伴って、前記バリアブル印刷ジョブファイル生成工程で生成された前記バリアブル印刷ジョブファイル、前記使用リソース一覧リスト生成工程で生成された前記使用リソース一覧リスト、及び前記印刷コントロールファイル作成工程で作成された前記印刷コントロールファイルに基づいて、前記バリアブル印刷に関する指示情報並びに印刷結果情報を含むバックアップデータをとりまとめたバックアップファイルを生成するバックアップファイル生成工程と、
を有する印刷処理プログラム。
【手続補正２】
【補正対象書類名】明細書
【補正対象項目名】０００９
【補正方法】変更
【補正の内容】
【０００９】
請求項１に記載の発明は、少なくとも、文書、画像を含む各種のファイルデータの一部を差し替えながら印刷するバリアブル印刷に関する指示情報が記録されたバリアブル印刷ジョブファイルを生成するバリアブル印刷ジョブファイル生成手段と、前記バリアブル印刷を実行する際に、少なくとも、文書、画像を含む各種のファイルデータを格納したデータベースから前記実行するバリアブル印刷で使用する前記ファイルデータを読み込んで、使用リソースファイルとして抽出する抽出手段と、前記バリアブル印刷ジョブファイル生成手段により生成された前記バリアブル印刷ジョブファイルと前記抽出手段により抽出された前記使用リソースファイルとを関連付けた印刷コントロールファイルを作成する印刷コントロールファイル作成手段と、前記抽出手段により抽出された前記使用リソースファイルの全てを一覧リストとして作成した使用リソース一覧リストを生成する使用リソース一覧リスト生成手段と、前記バリアブル印刷の実行に伴って、前記バリアブル印刷ジョブファイル生成手段により生成された前記バリアブル印刷ジョブファイル、前記使用リソース一覧リスト生成手段により生成された前記使用リソース一覧リスト、及び前記印刷コントロールファイル作成手段により作成された前記印刷コントロールファイルに基づいて、前記バリアブル印刷に関する指示情報並びに印刷結果情報を含むバックアップデータをとりまとめたバックアップファイルを生成するバックアップファイル生成手段と、を有している。
【手続補正３】
【補正対象書類名】明細書
【補正対象項目名】００１０
【補正方法】変更
【補正の内容】
【００１０】
請求項１に記載の発明によれば、バリアブル印刷を実行する印刷処理システムには、少なくとも、文書、画像を含むファイルデータを格納して共有するためのデータベースを有している。また、前記データベースに対し、アクセス可能な環境下で、各種の前記ファイルデータの一部を差し替えながら印刷するバリアブル印刷を実行する。その際、まず、バリアブル印刷ジョブファイル生成手段によって、前記バリアブル印刷に関する指示情報が記録されたバリアブル印刷ジョブファイルを生成する。次に、前記バリアブル印刷を実行する際に、前記データベースに格納された前記ファイルデータの中から使用する前記ファイルデータを読み込む。そして、抽出手段によって、読み込まれた前記ファイルデータを使用リソースファイル（使用リソースと呼ぶこともできる）として抽出する。また、印刷コントロールファイル作成手段によって、バリアブル印刷ジョブファイルと使用リソースファイルとを関連付けた印刷コントロールファイルを作成する。さらに、使用リソース一覧リスト生成手段が前記使用リソースファイルの全てを一覧リストとして使用リソース一覧リストを作成する。また、前記バリアブル印刷の実行に伴って、バックアップファイル生成手段によって、前記バリアブル印刷ジョブファイル、前記使用リソース一覧リスト、及び前記印刷コントロールファイルに基づいて、前記バリアブル印刷に関する指示情報並びに印刷結果情報を含むバックアップデータをとりまとめたバックアップファイルを生成する。
【手続補正４】
【補正対象書類名】明細書
【補正対象項目名】００１４
【補正方法】変更
【補正の内容】
【００１４】
請求項５に記載の発明は、少なくとも、文書、画像を含む各種のファイルデータの一部を差し替えながら印刷するバリアブル印刷に関する指示情報が記録されたバリアブル印刷ジョブファイルを生成するバリアブル印刷ジョブファイル生成工程と、前記バリアブル印刷を実行する際に、少なくとも、文書、画像を含む各種のファイルデータを格納したデータベースから前記実行するバリアブル印刷で使用する前記ファイルデータを読み込んで、使用リソースファイルとして抽出する抽出工程と、前記バリアブル印刷ジョブファイル生成工程で生成された前記バリアブル印刷ジョブファイルと前記抽出工程で抽出された前記使用リソースファイルとを関連付けた印刷コントロールファイルを作成する印刷コントロールファイル作成工程と、前記抽出工程で抽出された前記使用リソースファイルの全てを一覧リストとして作成した使用リソース一覧リストを生成する使用リソース一覧リスト生成工程と、前記バリアブル印刷の実行に伴って、前記バリアブル印刷ジョブファイル生成工程で生成された前記バリアブル印刷ジョブファイル、前記使用リソース一覧リスト生成工程で生成された前記使用リソース一覧リスト、及び前記印刷コントロールファイル作成工程で作成された前記印刷コントロールファイルに基づいて、前記バリアブル印刷に関する指示情報並びに印刷結果情報を含むバックアップデータをとりまとめたバックアップファイルを生成するバックアップファイル生成工程と、
を有している。
【手続補正５】
【補正対象書類名】明細書
【補正対象項目名】００１５
【補正方法】変更
【補正の内容】
【００１５】
請求項５に記載の発明によれば、バリアブル印刷を実行する印刷処理プログラムには、少なくとも、文書、画像を含むファイルデータを格納して共有するためのデータベースを有している。また、前記データベースに対し、アクセス可能な環境下で、各種の前記ファイルデータの一部を差し替えながら印刷するバリアブル印刷を実行する。その際、まず、バリアブル印刷ジョブファイル生成工程によって、前記バリアブル印刷に関する指示情報が記録されたバリアブル印刷ジョブファイルを生成する。次に、前記バリアブル印刷を実行する際に、前記データベースに格納された前記ファイルデータの中から使用する前記ファイルデータを読み込む。そして、抽出工程によって、読み込まれた前記ファイルデータを使用リソースファイル（使用リソースと呼ぶこともできる）として抽出する。また、印刷コントロールファイル作成工程によって、バリアブル印刷ジョブファイルと使用リソースファイルとを関連付けた印刷コントロールファイルを作成する。さらに、使用リソース一覧リスト生成工程が前記使用リソースファイルの全てを一覧リストとして使用リソース一覧リストを作成する。また、前記バリアブル印刷の実行に伴って、バックアップファイル生成工程によって、前記バリアブル印刷ジョブファイル、前記使用リソース一覧リスト、及び前記印刷コントロールファイルに基づいて、前記バリアブル印刷に関する指示情報並びに印刷結果情報を含むバックアップデータをとりまとめたバックアップファイルを生成する。